(57)【要約】      （修正有）【課題】非力な女性や子供であっても楽にかつ安全に開閉操作を行うことができ、又全方向からの収納作業を可能として使い勝手を高める蓋体の開閉構造を提供する。【解決手段】蓋体４上面が床体２上面と同高さとなる上昇高さＨ１にて開口部３を閉じる閉止位置Ｐ１と、蓋体４上面が床体２下面よりも低い下降高さにて床体２裏側に収容される収容位置との間を、スライド移動可能に前記蓋体４を案内する案内手段を具える。前記案内手段は、開口部３の両側縁に沿ってのびるガイドレール８と、その上を転動する走行具１０で構成する。【選択図】図３
2013209807.tif 000002
【特許請求の範囲】
【請求項１】
床体に形成した開口部を開閉する蓋体の開閉構造であって、
前記蓋体、
及び前記蓋体の上面が前記床体の上面と同高さとなる上昇高さにて前記開口部を閉じる閉止位置と、前記蓋体の上面が前記床体の下面よりも低い下降高さにて前記床体裏側に収容され前記開口部を開放する収容位置との間を、スライド移動可能に前記蓋体を案内する案内手段を具え、
前記案内手段は、前記開口部の両側縁に沿って床体裏側にのびるガイドレールと、このガイドレール上を転動する転動ローラを有しかつ前記蓋体の下面かつ四隅部に取り付く走行具とを含むことを特徴とする蓋体の開閉構造。
【請求項２】
前記ガイドレールは、水平かつ直線状にのびるとともに、
前記走行具は、
下端部に前記転動ローラを枢着した本体筒部と、
前記本体筒部の中心孔に上下に摺動自在に保持され、かつ上端部に前記蓋体を取り付けた昇降軸部と、
前記昇降軸部を上方に付勢するバネ体と、
前記蓋体への下方への押し操作によってオンオフが交互に切り替わるオルタネイト機構とを具え、
前記走行具は、前記上昇高さの蓋体への第１の押し操作に伴って前記下降高さまで縮小しかつこの下降高さでオルタネイト機構がオンとなって前記蓋体が保持されるとともに、この下降高さの蓋体への第２の押し操作によりオルタネイト機構がオフとなって前記保持が解除され前記バネ体の付勢に伴って前記蓋体を上昇高さまで復帰させることを特徴とする請求項１記載の蓋体の開閉構造。
【請求項３】
前記蓋体に、該蓋体の前記上昇高さからの下降を阻止するストッパ手段が取り付くとともに、
前記ストッパ手段は、前記蓋体に回動可能に枢支されかつ上端に前記蓋体の上面で露出する回動操作部が設けられた回動軸部と、この回動軸部の下端側側面から突出するストッパ片とを具え、前記ストッパ片は、前記回動の一方の終端位置にて前記本体筒部の上端と当接し前記下降を阻止するとともに、前記回動の他方の終端位置にて前記当接が解除され前記下降を許すことを特徴とする請求項２記載の蓋体の開閉構造。
【請求項４】
前記ガイドレールは、その巾方向中央側を長さ方向に延びるスリット状のガイド溝を具えるとともに、前記走行具は、前記ガイド溝に案内されるガイドピンを有することを特徴とする請求項１〜３の何れかに記載の蓋体の開閉構造。
【発明の詳細な説明】
【技術分野】
【０００１】
本発明は、床体に形成した開口部を開閉する蓋体の開閉構造に関する。
【背景技術】
【０００２】
床体に開口部を設け、床下スペースを例えば収納空間として有効利用することが広く行われている。そしてこのような開口部を開閉する蓋体の開閉構造として、例えば図１１に略示すように、ヒンジａを用い、蓋体ｂを回動自在に支持したものが従来より採用されている（例えば特許文献１参照。）。
【０００３】
しかしこの構造のものは、腰を屈めた不自然な姿勢での蓋体ｂの持ち上げ操作となるため、非力な女性や子供にとって負担が大きい。又起立状態となった蓋体ｂが不用意に閉じて指などを挟む恐れがあり、又開いた蓋体ｂが邪魔となって全方向から収納作業ができない等使い勝手にも劣るという問題がある。
【先行技術文献】
【特許文献】
【０００４】
【特許文献１】特開２００１−３２５１８号公報
【発明の概要】
【発明が解決しようとする課題】
【０００５】
そこで本発明は、蓋体を床体裏側にスライドさせて開口部を開放させることを基本として、非力な女性や子供であっても楽にかつ安全に開閉操作を行うことができ、又全方向からの収納作業を可能として使い勝手を高めうる蓋体の開閉構造を提供することを目的としている。
【課題を解決するための手段】
【０００６】
上記課題を解決するために、本願請求項１の発明は、床体に形成した開口部を開閉する蓋体の開閉構造であって、
前記蓋体、
及び前記蓋体の上面が前記床体の上面と同高さとなる上昇高さにて前記開口部を閉じる閉止位置と、前記蓋体の上面が前記床体の下面よりも低い下降高さにて前記床体裏側に収容され前記開口部を開放する収容位置との間を、スライド移動可能に前記蓋体を案内する案内手段を具え、
前記案内手段は、前記開口部の両側縁に沿って床体裏側にのびるガイドレールと、このガイドレール上を転動する転動ローラを有しかつ前記蓋体の下面かつ四隅部に取り付く走行具とを含むことを特徴としている。
【０００７】
また請求項２では、前記ガイドレールは、水平かつ直線状にのびるとともに、
前記走行具は、
下端部に前記転動ローラを枢着した本体筒部と、
前記本体筒部の中心孔に上下に摺動自在に保持され、かつ上端部に前記蓋体を取り付けた昇降軸部と、
前記昇降軸部を上方に付勢するバネ体と、
前記蓋体への下方への押し操作によってオンオフが交互に切り替わるオルタネイト機構とを具え、
前記走行具は、前記上昇高さの蓋体への第１の押し操作に伴って前記下降高さまで縮小しかつこの下降高さでオルタネイト機構がオンとなって前記蓋体が保持されるとともに、この下降高さの蓋体への第２の押し操作によりオルタネイト機構がオフとなって前記保持が解除され前記バネ体の付勢に伴って前記蓋体を上昇高さまで復帰させることを特徴としている。
【０００８】
また請求項３では、前記蓋体に、該蓋体の前記上昇高さからの下降を阻止するストッパ手段が取り付くとともに、
前記ストッパ手段は、前記蓋体に回動可能に枢支されかつ上端に前記蓋体の上面で露出する回動操作部が設けられた回動軸部と、この回動軸部の下端側側面から突出するストッパ片とを具え、前記ストッパ片は、前記回動の一方の終端位置にて前記本体筒部の上端と当接し前記下降を阻止するとともに、前記回動の他方の終端位置にて前記当接が解除され前記下降を許すことを特徴とする請求項２記載の蓋体の開閉構造。
【０００９】
また請求項４では、前記ガイドレールは、その巾方向中央側を長さ方向に延びるスリット状のガイド溝を具えるとともに、前記走行具は、前記ガイド溝に案内されるガイドピンを有することを特徴としている。
【発明の効果】
【００１０】
本発明は叙上の如く、開口部の両側縁に沿って床体裏側にのびるガイドレールと、このガイドレール上を転動する転動ローラを有する走行具とを含む案内手段により、蓋体を、前記開口部を閉じる閉止位置から床体裏側の収容位置までスライド移動可能に案内している。
【００１１】
従って、蓋体を持ち上げる操作を必要とすることなく、蓋体の床体裏側へのスライド操作によって開口部を開放させることができる。そのため、非力な女性や子供であっても、労力を要することなく楽にかつ安全に開閉操作を行うことができる。しかも蓋体が邪魔にはならず、開口部の周囲３６０°全ての方向から物の出し入れができるなど自由な収納作業が可能となり使い勝手を向上しうる。
【００１２】
又前記ガイドレールに長さ方向に延びるスリット状のガイド溝を形成し、かつ走行具に、前記ガイド溝に案内されるガイドピンを設けた場合には、脱輪することなくガイドレール上を正確な軌跡で走行させることができる。さらに、ガイドピンを、ガイド溝の長さ方向両端に当接させることで、蓋体を正確な位置で停止させることが可能となる。従って、蓋体を閉める際、蓋体を開口部の真下の位置に正確に停止させることができ、開口部を確実かつ精度良く閉めることが可能となる。
【図面の簡単な説明】
【００１３】
【図１】本発明の蓋体の開閉構造の一実施例を示す部分斜視図である。
【図２】（Ａ）は開口部の閉止状態を示す平面図、（Ｂ）は開口部の半開放状態を示す平面図である。
【図３】上昇高さの蓋体を走行具とともに示す断面図である。
【図４】下降高さの蓋体を走行具とともに示す断面図である。
【図５】下降高さの蓋体を走行具とともに示す側面図である。
【図６】昇降軸部の主要部の側面及び底面を示す二面図である
【図７】回転子の主要部の側面及び底面を示す二面図である
【図８】（Ａ）、（Ｂ）はオルタネイト機構の機能を示す説明図である。
【図９】（Ａ）はストッパ手段の回動軸部の一部を示す斜視図、（Ｂ）、（Ｃ）はストッパ手段の動作を示す平面図及び断面図である。
【図１０】（Ａ）は開閉構造の他の実施例を示す側面図、（Ｂ）はその一部を拡大して示す斜視図である。
【図１１】開閉構造の従来例を略示する側面図である。
【発明を実施するための形態】
【００１４】
以下、本発明の実施の形態について、詳細に説明する。
図１において、本実施形態の蓋体の開閉構造は、床体２に設けた開口部３を開閉する蓋体４と、この蓋体４をスライド移動可能に案内する案内手段５とを具える。
【００１５】
本例では、前記開口部３が、床下収納庫の開口部として形成される場合が例示される。なお図１中の符号６は、前記床体２を支持する横木であって、符号７は、床下収納庫の周囲を囲む壁体である。又本例の床体２は、例えば図３に示すように、下地材２ａとその上面に敷設される化粧板２ｂとから形成されている。
【００１６】
次に、前記案内手段５は、前記蓋体４の上面４Ｕが前記床体２の上面２Ｕと同高さとなる上昇高さＨ１にて前記開口部３を閉じる閉止位置Ｐ１（図２（Ａ）に示す。）と、前記蓋体４の上面４Ｕが前記床体２の下面２Ｌよりも低い下降高さＨ２にて前記床体２の裏側に収容され前記開口部３を開放する収容位置Ｐ２（図２（Ｂ）に示す。）との間を、スライド移動可能に前記蓋体４を案内する。
【００１７】
具体的には、前記案内手段５は、前記開口部３の両側縁に沿って床体２の裏側にのびるガイドレール８と、このガイドレール８上を転動する転動ローラ９を有する走行具１０とを含み、この走行具１０は、図２に示すように、前記蓋体４の下面かつ四隅部に取り付けられる。
【００１８】
本例では、前記ガイドレール８は、水平かつ直線状にのびるとともに、前記走行具１０が上下に伸縮可能に構成される。そしてこの走行具１０の伸縮により、前記蓋体４は、前記上昇高さＨ１（図３に示す。）と下降高さＨ２（図４に示す。）との間を上下方向に移動するとともに、前記転動ローラ９の転動により閉止位置Ｐ１と収容位置Ｐ２との間を水平方向に横移動する。
【００１９】
詳しくは、本例の走行具１０は、図３、４に示すように、下端部に前記転動ローラ９を枢着した本体筒部１１と、前記本体筒部１１の中心孔１１Ｈに上下に摺動自在に保持される昇降軸部１２と、前記昇降軸部１２を上方に付勢するバネ体１３と、前記蓋体４への下方への押し操作によってオンオフが交互に切り替わるオルタネイト機構１４とを具える。
【００２０】
前記本体筒部１１は、中心孔１１Ｈを有する筒状をなし、その下端部に、ローラホルダ１５を介して転動ローラ９が枢着される。本例では、前記ガイドレール８は、その巾方向中央側に長さ方向に延びるスリット状のガイド溝８ａを具え、これにより、このガイド溝８ａの巾方向両側にレール部８ｂ、８ｂが区分される場合が示される。そして前記走行具１０には、前記ガイド溝８ａに案内されるガイドピン１６が下向きに突設される。これにより走行具１０は、転動ローラ９が脱輪することなくガイドレール８上を正確な軌跡で走行することができる。さらに前記ガイドピン１６を、ガイド溝８ａの長さ方向両端に当接させることで、蓋体４を正確な位置で停止させることが可能となる。従って、蓋体４を閉める際、蓋体４を開口部３の真下の位置に正確に停止させることができ、開口部３を確実かつ精度良く閉めることが可能となる。又本例では、前記転動ローラ９が、一方側、他方側の各レール部８ｂ、８ｂを転動する２つのローラ９ｂから構成される。これにより走行具１０のスライド移動を円滑化しうる。
【００２１】
図６に前記本体筒部１１の断面図を示すように、本例の中心孔１１Ｈには、その内周面に、溝深さが深いｎ個（例えば３個）の第１の案内溝２０と、溝深さが浅いｎ個の第２の案内溝２１とが交互に凹設される。又前記本体筒部１１の下面には、図８（Ｂ）に平面に展開して示すように、山部Ｙａと谷部Ｙｂとを交互に繰り返したのこぎり波形状のカム面１１Ｓが形成される。このカム面１１Ｓは、前記山部Ｙａから谷部Ｙｂまでのびる斜辺２２ａと、谷部Ｙｂから山部Ｙａまでのびる軸心方向の縦辺２２ｂとによって１ピッチが形成されるとともに、２ピッチ毎に、前記谷部Ｙｂは、前記第１の案内溝２０と連通している。即ち、カム面１１Ｓのこぎり波形のピッチ数は２×ｎであり、第１の案内溝２０は、その一方の溝壁を前記縦辺２２ｂと一直線状に整一させつつ斜辺２２ａ上で開口させている。
【００２２】
次に、前記昇降軸部１２は、前記中心孔１１Ｈに摺動可能に保持される胴部２３の上端部に、前記蓋体４に固定される例えばフランジ状の取り付け部２３ａを有するとともに、前記胴部２３の外周面には、前記第２の案内溝２１に案内される回り止め用のガイド凸部２３ｂが凸設される。又前記胴部２３の下面には、山部Ｚａから谷部Ｚｂまでのびる斜辺２４ａと、谷部Ｚｂから山部Ｚａまでのびる斜辺２４ｂとによって１ピッチをなす三角波形状の押し面２４が形成される。この押し面２４は、そのピッチ数が２×ｎであり、又前記山部Ｚａが第１の案内溝２０の溝巾中心上に位置するように、前記ガイド凸部２３ｂによって位置決めされる。
【００２３】
又本例の昇降軸部１２は、前記胴部２３内に中心孔１２Ｈを有するとともに、この中心孔１２Ｈに、回転子２５を回転可能に保持している。前記回転子２５は、図７に示すように、前記中心孔１２Ｈに回転可能に内挿される胴部２６を有するとともに、この胴部２６の下端部には、外周面から突出し前記第１の案内溝２１に案内される突出リブ２６ａが配される。この突出リブ２６ａは、その上端に前記斜辺２４ａと同方向に傾斜するのカム面２６ａＳが形成される。このカム面２６ａＳは、前記斜辺２２ａとも同方向に傾斜している。
【００２４】
従って、図８（Ａ）に概念的に示すように、前記昇降軸部１２が下降して回転子２５を押し込む際、前記押し面２４がカム面２６ａＳと接触することで、前記回転子２５に、本例では右向きの回転力が付与される。そして前記図８（Ｂ）に示すように、前記押し込みによって前記回転子２５の突出リブ２６ａが、前記第１の案内溝２０から外れたとき、前記回転力によって回転子２５は右回転方向に位置ずれするとともに、押し面２４が上昇してカム面２６ａＳから離れることにより、前記突出リブ２６ａは斜辺２２ａに案内されて谷部Ｙｂの第１係止位置Ｑ１で係止される。又、次回の押し込みにより、突出リブ２６ａは前記第１係止位置Ｑ１から押し出されて右回転し第１の案内溝２０内の第２係止位置Ｑ２に係止される。このように前記昇降軸部１２の下降毎に、前記回転子２５は、高さ方向に位置替えしうる。
【００２５】
又前記昇降軸部１２と回転子２５との間には、押し面２４とカム面２６ａＳとの上下方向の最大離間距離を規制する離間規制手段３０が配される。この離間規制手段３０は、本例では前記図６、７に示すように、前記昇降軸部１２の胴部２３の周壁に穿設される上下方向の長孔３０ａと、前記回転子２５の胴部２６の外周面から突出しかつ前記長孔３０ａ内に入る挿入ピン部３０ｂとから構成される。前記最大離間距離は、前記押し面２４の波状振幅Ｗ（図６に示す。）より大である。
【００２６】
又前記回転子２５は、本例では、前記胴部２６内に下開口の孔部２５Ｈが設けられるとともに、この孔部２５Ｈ内の底面とローラホルダ１５との間に、前記回転子２５を介して昇降軸部１２を上方に付勢する前記バネ体１３が配される。又前記中心孔１２Ｈ内かつ回転子２５上端と蓋体４との間には、前記押し面２４とカム面２６ａＳとの間を離間させるバネ体２７が配される。
【００２７】
従って、本例では、前記上昇高さＨ１の蓋体４への第１の押し操作に伴って、回転子２５は、昇降軸部１２とともに下降し、前記図８（Ｂ）に示す第１係止位置Ｑ１にて停止する。この時、前記昇降軸部１２は、前記離間規制手段３０によって回転子２５からの離間距離が規制されるため、押し付けをやめた場合にも前記走行具１０は縮小状態が維持される。即ち、走行具１０は、下降高さＨ２まで縮小しかつこの下降高さＨ２で蓋体４を保持しうる。又前記下降高さＨ２の蓋体４への第２の押し操作により、前記第１係止位置Ｑ１の回転子２５の係止が解除され、回転子２５が、第２係止位置Ｑ２までバネ体１３によって上昇することにより、蓋体４は上昇高さＨ１まで復帰できる。
【００２８】
即ち、本例では、前記本体筒部１１のカム面１１Ｓ、昇降軸部１２の押し面２４、及び前記回転子２５により、押し操作によってオンオフが交互に切り替わるオルタネイト機構１４が構成される。又このオルタネイト機構１４は、前記下降高さＨ２でオンとなり、前記蓋体４を下降高さＨ２で保持しうる。又オルタネイト機構１４は、下降高さＨ２の蓋体４への第２の押し操作によってオフとなって下降高さＨ２での保持が解除される。そして前記バネ体１３の付勢に伴って前記蓋体４を上昇高さＨ１まで復帰させることができる。
【００２９】
なお前記オルタネイト機構１４としては、本例に限定されるものではなく、周知の種々の機構が好適に採用しうる。
【００３０】
又本例の開閉機構では、開閉時以外のときには蓋体４が下降しないようにするために、前記蓋体４には、蓋体４の上昇高さＨ１からの下降を阻止するストッパ手段３１が取り付けられる。このストッパ手段３１は、図９に示すように、前記蓋体４に回動可能に枢支される回動軸部３２と、この回動軸部３２の下端側側面から突出するストッパ片３３とを具える。なお回動軸部３２の上端には、前記蓋体４の上面４Ｕで露出する回動操作用の回動操作部３２Ａが設けられる。本例では前記回動操作部３２Ａとして、例えばコインなどの端部が挿入可能な挿入溝３２Ａａを設けたものが例示されるが、手指操作可能な種々のものが好適に採用しうる。
【００３１】
又前記ストッパ片３３は、前記回動の一方の終端位置Ｔ１にて前記本体筒部１１の上端１１Ｅと当接し前記下降を阻止するとともに、前記回動の他方の終端位置Ｔ２にて前記当接が解除され前記下降を許す。なお図中の符号３４は、回動の一方他方の終端位置Ｔ１、Ｔ２を規制する当接片であって、本例では蓋体４の下面に突設される。
【００３２】
然して、前記開閉構造では、閉止位置Ｐ１の蓋体４に対して、まず回動操作部３２Ａを用いてストッパ片３３を終端位置Ｔ２まで回すことにより、ストッパ手段３１を解除させる。しかる後、蓋体４全体に、体重を掛けながら蓋体４を押し下げることにより、下降高さＨ２にてオルタネイト機構１４が作動（オン）し、この下降高さＨ２にて蓋体４が係止される。その後、下降高さＨ２の蓋体４を、床体２裏側の収容位置Ｐ２まで、ガイドレール８に沿ってスライド移動させることにより、開口部３を開放することができる。
【００３３】
又閉止に際しては、まず、収容位置Ｐ２の蓋体４を、開口部３の直下位置までスライド移動させる。その後、直下位置の蓋体４全体に体重を掛けながら、蓋体４をいったん押し下げることにより、前記オルタネイト機構１４が作動（オフ）して蓋体４の係止が解除される。その結果、バネ体１３の付勢力によって、蓋体４が上昇高さＨ１まで持ち上がり、開口部３を閉じることができる。その後、回動操作部３２Ａを回してストッパ手段３１を作動し、蓋体４の下降を阻止することで安全性が確保される。
【００３４】
このように、前記開閉機構では、蓋体４の持ち上げ操作が不要となるため、非力な女性や子供であっても、労力を要することなく楽にかつ安全に開閉操作を行うことができる。しかも蓋体４が床体裏に収容されるため、開口部３の周囲３６０°全ての方向から物の出し入れができるなど自由な収納作業が可能となり使い勝手を向上しうる。
【００３５】
又図１０に、開閉機構の他の実施例を示す。本例では、走行具１０が上下に伸縮しないで、ガイドレール８に、蓋体４を上昇高さＨ１に持ち上げる上のレール部８Ａと、下降高さＨ２まで下げる下のレール部８Ｂと、その間の傾斜レール部８Ｃとが形成される。従って、閉止位置Ｐ１では、前後の走行具１０Ｆ、１０Ｒの各転動ローラ９が、それぞれ上のレール部８Ａ上に位置することで、前記蓋体４は上昇高さＨ１に維持される。そして、蓋体４が収容位置Ｐ２に向かってスライド移動する際、転動ローラ９が傾斜レール部８Ｃを通ることにより、上昇高さＨ１から下降高さＨ２まで下降しながら走行する。このとき、蓋体４の前端４Ｅと開口部３の前端３Ｅとの衝突を避けるため、各前端３Ｅ、４Ｅは、前記傾斜レール部８Ｃと同勾配の斜面で形成するのが好ましい。
【００３６】
以上、本発明の特に好ましい実施形態について詳述したが、本発明は図示の実施形態に限定されることはなく、例えば、前記開口部３は、床下点検用の開口部であっても良いなど、種々の態様に変形して実施しうる。
【符号の説明】
【００３７】
２     床体
３     開口部
４     蓋体
５     案内手段
８     ガイドレール
８ａ   ガイド溝
８ｂ   レール部
９     転動ローラ
９ｂ   ローラ
１０   走行具
１１   本体筒部
１１Ｈ 中心孔
１２   昇降軸部
１３   バネ体
１４   オルタネイト機構
１６   ガイドピン
３１   ストッパ手段
３２   回動軸部
３２Ａ 回動操作部
３３   ストッパ片
Ｈ１   上昇高さ
Ｈ２   下降高さ
Ｐ１   閉止位置
Ｐ２   収容位置
Ｔ１、Ｔ２    終端位置
【図１】
2013209807.tif 000003
【図２】
2013209807.tif 000004
【図３】
2013209807.tif 000005
【図４】
2013209807.tif 000006
【図５】
2013209807.tif 000007
【図６】
2013209807.tif 000008
【図７】
2013209807.tif 000009
【図８】
2013209807.tif 000010
【図９】
2013209807.tif 000011
【図１０】
2013209807.tif 000012
【図１１】
2013209807.tif 000013